(57)【要約】【課題】ガス圧力調整器における自動切替の表示シグナルをより容易に視認できるように視認性を向上させたガス圧力調整器を提供することにある。【解決手段】ガス容器が接続される２つもしくは複数のガス流入口と、前記ガス流入口の１つを供給側に設定可能であってその供給側ガス流入口からのガスの流入を優先的に行うとともに、前記供給側ガス流入口からのガス供給圧力が低下すると他方のガス流入口からのガスの流入を許可する自動切替手段と、前記供給側ガス流入口からのガス供給圧力が低下したことを表示する表示シグナル部と、を備える。この前記表示シグナル部が示す切替シグナルが少なくとも本体正面および側面から視認可能である。【選択図】　図１
2004092735.tif 000002
【特許請求の範囲】
【請求項１】
ガス容器が接続される２つもしくは複数のガス流入口と、
前記ガス流入口の１つを供給側に設定可能であってその供給側ガス流入口からのガスの流入を優先的に行うとともに、前記供給側ガス流入口からのガス供給圧力が低下すると他方のガス流入口からのガスの流入を許可する自動切替手段と、
前記供給側ガス流入口からのガス供給圧力が低下したことを表示する表示シグナル部と、
を備えるガス圧力調整器において、
前記表示シグナル部が示すシグナルが少なくとも本体正面および側面から視認可能であることを特徴とするガス圧力調整器。
【請求項２】
前記自動切替手段の供給側を切替る切替レバーを有し、該切替レバーに前記表示シグナル部を内蔵したことを特徴とする請求項１に記載のガス圧力調整器。
【請求項３】
前記切替レバーはガス圧力調整器の上部に設けられていることを特徴とする請求項２に記載のガス圧力調整器。
【請求項４】
前記表示シグナル部は、
表示枠と、
該表示枠を収納し少なくとも３方向から表示枠を視認可能な透明窓と、
該表示枠を収納し視認不可能な収納部と、
を含み該表示枠は自動切替手段の切替に連動して前記収納部から前記透明窓に移動することを特徴とする請求項１ないし３のいずれか１項に記載のガス圧力調整器。
【請求項５】
前記切替レバーに前記表示シグナル部を内蔵し、前記透明窓を３６０°にわたって前記表示枠を視認可能としたことを特徴とする請求項４に記載のガス圧力調整器。
【請求項６】
前記表示枠を３６０°原色系の色を用いたことを特徴とする請求項４または５に記載のガス圧力調整器。
【発明の詳細な説明】
【０００１】
【発明の属する技術分野】
本発明は、高圧液化ガスを減圧するガス圧力調整器に関し、より具体的には自動切替調整器の表示シグナルに、より視認性を向上させるものに関する。
【０００２】
【従来の技術】
従来のガス圧力調整器は、例えば特開平１０−２３８６５１には自動切替調整器にあって、供給側の高圧液化ガス用シリンダのガスの残量が少なくなると、自動的に予備側からの供給が始まり、その時点で供給側のガス残量が無いことを表示シグナルにより知らせるものが開示されている。
【０００３】
【発明が解決しようとする課題】
しかし、従来のガス圧力調整器における表示シグナルは、回動支点を持った表示レバーの一方に表示板を備えて、高圧液化ガス用シリンダの切替えに連動して動く切替軸がこの表示レバーを駆動する構造であるから、前記表示板はガス圧力調整器の正面からの視認が可能である構造に留まり、高圧液化ガス用シリンダの置場所が例えば袋小路や塀等の狭い環境下にある場合にはそのガス圧力調整器の表示シグナルを確認することができない。又は確認することが困難である等、作業者の不都合を生じていた。
【０００４】
そこで、本発明はガス圧力調整器における自動切替の表示シグナルをより容易に視認できるように視認性を向上させたガス圧力調整器を提供することにある。
【０００５】
【課題を解決するための手段および発明の効果】
本発明は、ガス容器が接続される２つもしくは複数のガス流入口と、
前記ガス流入口の１つを供給側に設定可能であってその供給側ガス流入口からのガスの流入を優先的に行うとともに、前記供給側ガス流入口からのガス供給圧力が低下すると他方のガス流入口からのガスの流入を許可する自動切替手段と、
前記供給側ガス流入口からのガス供給圧力が低下したことを表示する表示シグナル部と、
を備えるガス自動切替調整器において、
前記表示シグナル部が示すシグナルが少なくとも本体正面および側面から視認可能であることを特徴とする。
【０００６】
自動切替手段を設けたガス圧力調整器において、供給側ガス容器の液化ガス残量がなくなっていることを示す表示シグナルが視認しやすいことは重要である。上記のように構成することにより、ガス圧力調整器が狭い路地などに設置されて正面からの視認が困難である場合に、その少なくとも正面および側面から、また場合によっては裏面からも視認することができるため、視認が容易となり作業性における効率を改善できる。
【０００７】
さらに、この発明の具体的な形態として、前記自動切替手段の供給側を切替る切替レバーを有し、該切替レバーに前記表示シグナル部を内蔵する構成としてもよい。またさらにこの切替レバーを本ガス圧力調整器の上部に設けるものとすることができる。
【０００８】
また、より具体的な形態として、前記表示シグナル部は、
表示枠と、
該表示枠を収納し少なくとも３方向から表示枠を視認可能な透明窓と、
該表示枠を収納し視認不可能な収納部と、
を備え該表示枠は自動切替手段の切替に連動して前記収納部から前記透明窓に移動することを特徴とする。
【０００９】
このように構成すれば、自動切替手段によってガス容器の切替に際して、通常は視認不可能な収納部に収納された表示枠が移動して視認可能な透明窓に現れることとなる。このように作用することによって、供給側のガス容器内のガス残量が少なくなっていることを表示し、加えて、その表示枠を視認可能とする透明窓は少なくとも３方向、例えば正面および両側面又は裏面等から視認することができるため視認し易く、より作業効率性に長ける。
【００１０】
さらに、前記切替レバーに前記表示シグナル部を内蔵し、前記透明窓を３６０°にわたって前記表示枠を視認可能とした構成としてもよい。
【００１１】
このように構成することにより、上述したように視認可能状態となった表示枠を方向を問わず正面、両側面および裏面の４方向のいずれからでも確認することができる。
【００１２】
またさらに、この表示枠を３６０°にわたって赤、緑、青紫等の鮮やかで派手な原色系の色を用いた構成とすれば、目にとまり易く視認にあたって効果的である。
【００１３】
【発明の実施の形態】
以下、本発明の実施の形態を図面に示す実施例を参照しつつ説明する。
【００１４】
図１ないし図３は、本発明が適用されるガス圧力調整器の一実施例をそれぞれ外観正面図、外観側面図、外観平面図として示すものである。内部構成および機構については後に別の図を参照して詳述するとして、まず外観の構成から簡単に説明する。図１において、１は本発明によるガス圧力調整器本体であって、本体１を構成する上部分に切替レバー４３を設け、その切替レバー４３は最上部に表示枠の収納部として不透過体で形成した上切替レバー４４と、中間部に透明体で形成した透明窓８と、下部には下切替レバー４５とを備え、上切替レバー４４と下切替レバー４５との間に透明窓８をはさみ込むようにして、その透明窓８は３６０°の視認性を確保した構造となっている。
【００１５】
本体１の中心やや下部分にはガス容器が接続されるガス流入口４０（ＩＮ）が図示例では対称位置に２つ設置される。また、図３において、切替レバー４３の上面には、文字（図示の例では「供給側」）および矢印で供給側に設定したガス容器を明確に差し示す表示がなされている。図の場合、左側が供給側流入口となっている。
【００１６】
続いて図４と図５は、図１ないし図３の外観図に示すガス圧力調整器の具体的な機構と動作を説明する図である。
【００１７】
図５は側面から見た内部構造を示す図で、Ｉは高圧側圧力調整機構（以下、高圧側圧力室とも言う）、ＩＩは低圧側圧力調整機構（以下、低圧側圧力室とも言う）で、圧力調整される被測定ガスは図１および図４に示すガス流入口４０（ＩＮ）から供給され、高圧側圧力調整機構Ｉ内において、該高圧側圧力調整機構Ｉ内に配設された圧力調整スプリング（高圧用）２８の押圧力によって決まる中圧力に調整され、次いで、低圧側圧力調整機構ＩＩ内に導かれ、該低圧側圧力調整機構ＩＩ内に配設された圧力調整スプリング（低圧側）２９の押圧力によって決まる低圧力に調整された後、低圧力流出口ＯＵＴより放出される。
【００１８】
図４および図５を参照して内部構造について説明する。図４は図１に対応する正面から見たガス容器の手動切替と供給ガス容器の自動切替機構、及び高圧側圧力調整機構Ｉに係る内部構造を示す図であり、上記に述べたことと一部重複するが、上切替レバー４４の下方部分にアームＡ１１、そのアームＡ１１を作用させるカム軸１６、そのカム軸１６によって駆動するカム１６ａ、カム１６ａに当接する弁軸１７、その弁軸１７からガスが供給されるノズル４、弁軸１７の先端に弁ゴムを一体的に有する弁座１８、弁スプリング３０を配設する。また、下切替レバー４５内部に圧力調整スプリング（高圧用）２８、その下方に受圧板１３、ダイヤフラム３２、ダイヤフラム止め金具１４を配設する。図示例の場合、前述した通り、ガス流入口４０は２個あり、切替レバー４３はカム軸１６を回転させるようになっており、切替レバー４３を１８０°回転させるとカム軸１６が回転し、１８０°回転するカム１６ａはいずれか一方の弁軸１７を選択して他方のガス容器を使用可能とする。
【００１９】
図５は図２に対応してガス圧力調整器本体１の高圧側圧力調整機構Ｉと低圧側圧力調整機構ＩＩに係る内部構造を示す図であり、本体１に構成する両圧力調整機構のためのカバー２・３、流出口ＯＵＴに連なるノズル筒２３、そのノズル筒２３の入口に設けた弁体１９、弁座２０、弁ゴム３４、高圧側圧力調整機構Ｉからガスが供給されるノズル５、弁体１９を駆動するレバー２１、レバー軸２２、圧力調整スプリング（低圧用）２９、受圧板と一体に動くダイヤフラム３３、ダイヤフラム３３で動くレバーの吊金具２５を設ける。さらに、レバー２１の図中右方に安全弁ばね３１、安全弁ばね押え２６をそれぞれ設ける。
【００２０】
次に、上記構成からなるガス圧力調整器の動作について説明する。図４において高圧側圧力室Ｉ内のガス圧と圧力調整スプリング２８の圧力とが平衡している時は、ダイヤフラム３２は中立の位置にあり、この時、ノズル４は弁座（弁ゴム）１８によって閉じられている。この状態で、高圧側圧力室Ｉ内のガス圧力が低下すると、圧力調整スプリング２８によってダイヤフラム３２が下方に押され、従って弁座１８が下方に押され、ノズル４のノズル孔が開放してガス流入口４０（ＩＮ）より高圧ガスがノズル４を通して高圧側圧力室Ｉ内に供給する。該高圧側圧力室Ｉ内の圧力が上昇すると、高圧側圧力室Ｉ内の圧力が圧力調整スプリング２８の押圧力に抗してダイヤフラム３２を上方に移動し、従って、弁座１８は弁スプリング３０によって押し上げられ、ノズル４のノズル孔を閉じる。この様にして、高圧側圧力室Ｉ内のガス圧は、圧力調整スプリング２８の押圧力によって決まる中圧力に調整される。
【００２１】
上述のように、中圧力に圧力調整されたガスは、図５に示すようにノズル５を経て低圧側圧力室ＩＩに供給される。低圧側圧力室ＩＩ内のガス圧が圧力調整スプリング２９の押圧力より大きい時は、ダイヤフラム３３は図面右方向に移動し、ダイヤフラム３３はレバー吊金具２５を動かし、それに伴ってレバー２１がレバー軸２２を中心にして時計回りに回動し、弁体１９および弁ゴム３４を上方に移動して弁座２０に押し付けてノズル５のノズル孔を閉じる。圧力室ＩＩ内の圧力が低くなると、ダイヤフラム３３が圧力調整スプリング２９によって左方向に押され、レバー２１がレバー軸２２を中心に反時計回りに回動し、弁体１９を下方に移動させ、ノズル５のノズル孔を開放し、ガスを流出口（ＯＵＴ）から流出させる。なお、高圧側圧力室ＩＩ内の圧力が所定の圧力を越えて異常に高い時は、ダイヤフラム３３の右方向へのそれ以上の移動が安全弁ばね３１によって阻止され、安全弁が開いてガスを外部へ逃がす。
【００２２】
次に、ガス容器から供給されるガスの自動切替機構の動作について説明する。図１及び図４においては、左側のガス流入口４０が供給側に設定されており、その供給側の供給圧が低下した状態を示している。左側のガス流入口４０からのガスの供給が止まると、圧力調整スプリング２８は下方へ移動し、カム１６ａは左側の弁軸１７を押し切り、代りに右側の弁軸１７を押し下げる。このため、右側のガス流入口４０に接続されたガス容器から高圧側圧力室Ｉにガスが供給され、このガス圧と圧力調整スプリング２８が釣りあって指定された圧力のガスをノズル５から低圧側圧力室ＩＩに供給することができる。このように、供給圧が高い時は切替レバー４３の供給側からのみガス供給を行い、一定の供給圧を下回ると、ダイヤフラム３２の下降とともに予備側の弁軸１７を下方へ押し付けるように開放し、予備側からもガスの供給を許容する。
【００２３】
以上、ガスの流入から流出および自動切替機構までの動作を説明したが、流入する供給ガスの供給ガス圧力が低下し、一定の供給圧を上述の如く下回ると、ダイヤフラム３２の下降に伴ってカム軸１６が下方向に移動した状態となる。このようにガス容器からのガスの自動切替機構に連動してカム軸１６が上下動するから、ガス供給圧力が低下したことを切替表示する表示シグナル部はこのカム軸１６の動きを利用することで構成できる。
【００２４】
本発明の表示シグナル部の実施例を図６から図７に示す内部機構によって説明すると、切替レバー４３の下切替レバー４５は前記カム１６ａによって上下するカム軸１６を上下に摺動自在に保持しながら、前記圧力スプリング２８の内側で前記カバー（高圧用）２と嵌合しており、カム軸１６を回転するために切替レバー４３を回動しても上下に移動しない。図６（ａ）に示すように前記透明体８を挟んだ上切替レバー４４と下切替レバー４５で構成する切替レバー４３の内部空間には、外周に色付けされた表示部９を備えたリング状の表示枠１０を内蔵し、その表示枠１０には図６（ｂ）及び図７に示すようにクランク状に折り曲げられたアームＢ１２と、前記カム軸１６によって押し上げられるアームＡ１１とを備え、アームＡ１１とアームＢ１２は一方の端を表示枠１０に回転自在に取付けており、他方の端は上切替レバー４３と下切替レバー４４を固定する時に回動自在に切替レバー４３に取付けられている。この為、表示枠１０は二つのレバーの働きで傾くことなく上下に移動することができる。本実施例ではこの表示枠１０の外周に設けた表示部９の外側面を全体にわたって赤色で形成しており、他の実施例としては表示部９を表示枠１０に塗布する塗料によって構成してもよい。その動作は後に詳述するとして、通常は図６（ａ）の一点鎖線で示すように、表示枠１０は視認不可能な収納部（上切替レバー４４）内に収納され、供給側のガス供給圧力が低下した際にはアームＡ１１およびアームＢ１２を介して透明窓８位置へ下降し、その表示枠１０の赤色外側面が切替の表示シグナルとして視認可能となる。
【００２５】
図４及び図６（ａ）に示すように供給側ガス容器のガス残量が減ると、カム軸１６は下方向へ移動して、このカム軸１６に連結したアームＡ１１、さらにアームＡ１１に連結した表示部９と表示枠１０が併せて下方向へ移動する。図７に示すように、アームＡ１１はその先端軸１１ａが表示枠１０に嵌合している。基部の回転軸１１ｂは切替レバー４３に嵌合しており、前記カム軸１６はアームＡ１１の途中を押し上げている。このため、カム軸１６の上下動作に比べて先端軸１１ａは大きく上下動作できるようになっている。またクランク状のアームＢ１２も内側が表示枠１０に連結され、その端が切替レバー４３に嵌合している。表示枠１０は図示のごとく切替レバー４３にアームＡ１１とアームＢ１２を介して揺動可能に取り付けられるため、上記のアームＡ１１およびアームＢ１２のリンク作用により、二つのアームの斜め下方向への移動に伴って表示部９と表示枠１０は図面一点鎖線の位置から斜め左下へ移動することとなる（図６（ａ））。
【００２６】
上記のようにして、表示部９と表示枠１０は透明窓８の位置まで下降する。透明窓８は３６０°方向から視認可能に透明に構成してあるため、この状態において表示部９の赤色外側面が透明窓８から視認できる。すなわち、一定の供給圧を保った通常時には、表示部９と表示枠１０は上切替レバー４４内（収納部内）に収納され、供給圧が低下して一定の供給圧を下回り予備側のガス供給を開始すると、表示枠部９は透明窓８の位置まで下降して、その赤色外側面を透明窓８に切替シグナルとして３６０°方向視認可能に表示する。
【００２７】
また、切替レバー４３を１８０°回転させて予備側であった流入口を供給側に設定し直したり、もしくはガス容器にガスを補充をして、供給ガス圧力が通常の値に戻れば、カム軸１６は表示部９と表示枠１０を下降させた状態から上昇し、先ほどと逆の工程を辿ってアームＡ１１を介して表示部９と表示枠１０は右斜め上方向に移動する。このようにして、表示部９と表示枠１０は視認が不可能な上切替レバー４４内に収納される。すなわち元の状態へ戻るわけである。
【００２８】
この実施例では、透明窓８を３６０°その周囲にわたって透明とし、視認可能に構成したが、例えば、正面、両側面、裏面の各面、又は、正面、両側面等の面の一部分に単数もしくは複数個の透明な穴を形成して、複数方向（例えば３方向、４方向等）から透明窓８を形成し、透明窓の内側に移動した表示枠１０で表示される切替を示すシグナルを視認可能なように構成してもよい。この場合、複数の透明窓が形成されることになる。
【００２９】
次に、上記に述べた実施例を実施例１として、切替レバーを本体上部ではなく本体の正面に設けた図８に示す別の実施例２について述べる。この実施例によれば正面および両側面からの表示シグナルの視認が可能である。圧力調整や自動切替等の基本的な構成は実施例１の向きを９０°変えたものと同様であるため、その内部構造の説明は省略する。
【００３０】
図８（ａ）から図８（ｄ）に、この実施例における切替レバー部分を示す。（ａ）が正面外観図、（ｂ）が切替レバーの内部を示す正面図、（ｃ）が側面図、（ｄ）が平面図である。実施例１における切替レバーとほぼ同様のものをそのまま用いるとして、図８（ａ）は実施例１の平面図である図３、図８（ｂ）は実施例１の図６（ｂ）とほぼ対応するが、ここでは構造および動作説明にあたって簡単のため表示部は塗料で構成するとして表示部と表示枠は表示枠６３として統一し、その詳しい内部機構図は省略するものとする。
【００３１】
実施例１との相違点は、まずカム軸１６の移動方向が上下であったのに対し、この実施例では本体の正面から裏側方向となる。それに併せて切替レバー６０の回転面は水平平面上であったのに対して垂直平面上へと変更する。また切替レバー６０の正面（実施例１では上切替レバー４４の上面・「供給側」の記載部分あたり）内の一部に透明窓６１を設け、この透明窓６１の内側に当たる表示枠６３の端には赤色の表示部６３ｂ（図８（ｂ））を設ける。これは、本体正面からの表示シグナルの視認を可能とするためである。さらにこの実施例では図８（ｃ）（ｄ）に示すように、上面・底面および両側面からの表示シグナルの視認は可能であるが、実施例１と同様の作りでは、正面からの視認が不可能であるため、このような形態で設ける必要がある。
【００３２】
図８（ａ）において破線で示す表示枠６３が定常供給時の位置を示し、一点鎖線で示す表示枠６３が供給ガス圧力低下時に表示シグナルとして視認可能に移動した時の位置を示す。前記透明窓６１は、供給ガス圧力が所定のガス圧力を保って正常である場合には表示枠６３の赤色の表示部６３ｂが見えないようにし、かつ、供給ガス圧力が低下して一定の値を下回った場合には、表示枠６３が移動して赤色の表示部６３ｂを視認できる範囲で設ける必要がある。この表示枠６３は供給ガス圧力が低下して一定の値を下回った場合には、つまり、供給ガス容器のガス残量が減って予備のガス容器からのガス供給を開始した時には、実施例１と同様なしくみによって、図８（ａ）の破線で示す表示枠６３の位置から図面奥方向かつ斜め左方向へ、一点鎖線で示す表示枠６３の位置まで移動する。指定されたガス容器からガスが供給されている波線で示す表示枠６３の状態では透明窓６１からその表示部６３ｂによる赤色シグナルが見えることはなく、ガス容器が切替って一点鎖線で示す表示枠６３の位置に来て初めて透明窓６１からその赤色シグナルを視認することができる。図９は切替レバー６０の透明窓６１付近の拡大図であり、透明窓６１から見える表示部６３ｂによる赤色シグナルの形態を示す。図９に示すように、表示枠６３の凸部分先端が表示窓６１の裏側に現れ、ガスの切替えを表示するシグナルとして視認できる。
【００３３】
図８（ｃ）および（ｄ）は、切替レバー６０の側面図および平面図であり、実施例１で述べたのと同様に、透明窓６４が切替レバー６０の周囲３６０°にわたって設けられる。図は表示シグナルとしての表示枠６３が視認できる状態を示している。
【００３４】
また、図１０に、実施例２の変形としての切替レバー７０を示す。これは実施例２と同じく正面に切替えレバー７０を取り付けた際に、正面から表示シグナルが視認できるように構成したものである。この切替レバー７０内部に備え付けた表示枠７１の図面上左右に動く部分の端面に表示部７２が形成してあり、この表示部７２と対向する切替レバー７０の表面に二個所の透明窓７３が設けてある。図８と同様に、波線で示したものが定常時の位置における表示枠７１、一点鎖線が移動後の（切替え表示時の）位置における表示枠７１をそれぞれ示す。この表示枠７１は前記表示部７２が赤色を有し、この赤色の表示部７２は定常時は透明窓７３の外側に位置するため、その赤色が正面から（透明窓７３から）視認されることはない。移動後の表示枠７１の位置では、波線で示す元の位置から図中左方向へずれるので（正確には図面奥方向への動きも伴う）、移動後の赤色の表示部７２が透明窓７３の内部領域に移動し、その赤色部分が正面から視認可能となる。
【００３５】
以上説明した実施例２は、切替レバーが本体上部ではなく正面に取り付けられた例であるが、上記のように切替レバーの構成を一部変更すれば、本体正面および両側面からの表示シグナルの視認が可能となる。
【００３６】
その他の実施例３として、図１１に透明窓８１を本体１の正面から側面に掛けて設けた例を示す。この実施例では、高圧側圧力室Ｉを構成するダイヤフラム８２の受圧板８３の外周は伸ばされて表示部８４を形成し、枠体１の壁部に設けた透明窓８１はレンズ効果のある合成樹脂で形成されており、ガス容器が切替った時にカム軸とダイヤフラム８２及び受圧板８３が降下して、受圧板８３の外周の表示部８４が透明窓８１の内側に移動する。この表示部８４には反射効果のある赤色塗料が塗布してあり、図示の通り本体１の正面から両側面の一部に設けられた透明窓８１の内側に表示部８４が位置したとき、受圧板８３の移動がわずかでもレンズ効果によって幅広の透明窓８１の全体を使って表示シグナルが現れる。この実施例によっても、正面および両側面から表示シグナルを視認することができる。
【図面の簡単な説明】
【図１】一実施例であるガス圧力調整器の外観正面図。
【図２】同じくガス圧力調整器の外観側面図。
【図３】同じくガス圧力調整器の外観平面図。
【図４】図１に示すガス圧力調整器の機構を説明する正断面図。
【図５】同じくガス圧力調整器の機構を説明する側断面図。
【図６】同じくガス圧力調整器の切替レバーの機構を説明する断面図。
【図７】表示枠と付属するアームを示す斜視図。
【図８】別の実施例における切替レバー部分を示す図。
【図９】図８の実施例の透明窓付近の拡大図。
【図１０】表示枠の別の形態を説明する図。
【図１１】別の実施例である本体を示す一部切欠き正面図。
【符号の説明】
１　本体
カバー
４，５　ノズル
８，６１，６４，７３，８１　透明窓
９，６３ｂ，７２，８４　表示部
１０，６３，７１　表示枠
１１　アームＡ
１２　アームＢ
１３，８３　受圧板
１６　カム軸
１６ａ　カム
１７　弁軸
１８，２０　弁座
２８，２９　圧力調整スプリング
３２，３３，８２　ダイヤフラム
３０　弁スプリング
３１　安全弁ばね
４０　ガス流入口
４３，６０，７０　切替レバー
【図１】
2004092735.tif 000003
【図２】
2004092735.tif 000004
【図３】
2004092735.tif 000005
【図４】
2004092735.tif 000006
【図５】
2004092735.tif 000007
【図６】
2004092735.tif 000008
【図７】
2004092735.tif 000009
【図８】
2004092735.tif 000010
【図９】
2004092735.tif 000011
【図１０】
2004092735.tif 000012
【図１１】
2004092735.tif 000013